(57)【要約】【課題】簡単な構成で、安定した走行性能を有する電気掃除機用吸込具を提供する。【解決手段】塵埃を吸引する開口部１５を有する吸込具本体３と、前記開口部１５に連通し回動自在の接続管９とを備え、前記吸込具本体３に走行用のローラーＡ２０を設け、前記ローラーＡ２０を軟質材の１つであるフェルトのみで構成したもので、ローラーＡ２０が、樹脂を含浸させた軟質材からなる１部品で構成されているためローラー軸の中心度のバラツキが少なくバランスがとれ安定した走行を実現できる。また軟質材としてフェルトを用いることにより、吸込具本体３が被掃除面と衝突した時の衝撃を吸収することができ、被掃除面の傷つきを防止することができる。【選択図】図３
2006102303.tif 000002
【特許請求の範囲】
【請求項１】
塵埃を吸引する開口部と、被掃除面上の塵埃を掻き上げる塵埃除去体と、前記塵埃除去体を回転駆動する電動機と、被掃除面側端部に回転自在に設けられた走行用のローラーと、前記吸込具本体と被掃除面との接触度合いを検出し、その検出結果に基づいて前記電動機を動作させる床面検出手段とを有する吸込具本体と、前記開口部に連通し回動自在に設けられた接続管とを備え、前記ローラーは樹脂を含浸させた軟質材からなる１部品で構成した電気掃除機用吸込具。
【請求項２】
塵埃を吸引する開口部と、被掃除面上の塵埃を掻き上げる塵埃除去体と、前記塵埃除去体を回転駆動する電動機と、被掃除面側端部に回転自在に設けられた走行用のローラーと、前記吸込具本体と被掃除面との接触度合いを検出し、その検出結果に基づいて前記電動機を動作させる床面検出手段とを有する吸込具本体と、前記開口部に連通し回動自在に設けられた接続管とを備え、前記ローラーは樹脂を含浸させた軟質材からなる外周部と、前記外周部の中央に配された円筒形の軸受けで構成した電気掃除機用吸込具。
【請求項３】
床面検出手段に床面と設置するローラーを設け、このローラーは樹脂を含浸させた軟質材で形成した請求項1又は２記載の電気掃除機用吸込具。
【請求項４】
軟質材としてフェルトを用いた請求項１〜３のいずれか1項記載の電気掃除機用吸込具。
【請求項５】
吸引風を発する電動送風機と、前記電動送風機を内蔵する掃除機本体と、請求項１〜４のいずれか１項に記載の電気掃除機用吸込具を備えた電気掃除機。
【発明の詳細な説明】
【技術分野】
【０００１】
本発明は、電気掃除機用吸込具およびそれを用いた電気掃除機に関するものである。
【背景技術】
【０００２】
従来の電気掃除機用吸込具に使用されていた走行用のローラーとして、パイプと、そのパイプの外側に斜めに巻き付けられた起毛布と、パイプの両端に回転自在に設けた軸受の４部品で構成されていた（例えば、特許文献１参照）。
【特許文献１】特開平６−７０８７０号公報
【発明の開示】
【発明が解決しようとする課題】
【０００３】
しかしながら、前記従来の電気掃除機用吸込具のローラーの構成では、部品点数が多く複雑であるため、２個の軸受け部の中心度を一致させることが難しくローラーのバランスの微調整が必要であった。また、部品点数が多いため、部品代および組立工数が高くなり高価な構成となっていた。
【０００４】
本発明は、上記従来の課題を解決するもので、簡単な構成で、ローラーの左右のバランスがとれ安定した走行を実現でき、安価な電気掃除機用吸込具およびそれを用いた電気掃除機を提供することを目的としている。
【課題を解決するための手段】
【０００５】
前記従来の課題を解決するために、本発明の電気掃除機用吸込具は、塵埃を吸引する開口部と、被掃除面上の塵埃を掻き上げる塵埃除去体と、前記塵埃除去体を回転駆動する電動機と、被掃除面側端部に回転自在に設けられた走行用のローラーと、前記吸込具本体と被掃除面との接触度合いを検出し、その検出結果に基づいて前記電動機を動作させる床面検出手段とを有する吸込具本体と、前記開口部に連通し回動自在に設けられた接続管とを備え、前記ローラーは樹脂を含浸させた軟質材からなる１部品で構成したもので、ローラーが樹脂を含浸させた軟質材からなる１部品で構成されているためローラー軸の中心度のバラツキが少なくバランスがとれ安定した走行を実現できる。また軟質材を用いることにより吸込具が被掃除面と衝突した時の衝撃を吸収することができ、被掃除面の傷つきを防止することができる。さらに、部品点数が１部品で済むため安価な電気掃除機用吸込具を提供することができる。
【０００６】
また、本発明の電気掃除機用吸込具は、塵埃を吸引する開口部と、被掃除面上の塵埃を掻き上げる塵埃除去体と、前記塵埃除去体を回転駆動する電動機と、被掃除面側端部に回転自在に設けられた走行用のローラーと、前記吸込具本体と被掃除面との接触度合いを検出し、その検出結果に基づいて前記電動機を動作させる床面検出手段とを有する吸込具本体と、前記開口部に連通し回動自在に設けられた接続管とを備え、前記ローラーは樹脂を含浸させた軟質材からなる外周部と、前記外周部の中央に配された円筒形の軸受けで構成したもので、円筒形の軸受けを用いることによりローラー軸の中心度のバラツキが少なくバランスがとれ、より滑らかに安定した走行を実現でき、耐久性も向上できる。また軟質材を用いることにより吸込具が被掃除面と衝突した時の衝撃を吸収することができ、被掃除面の傷つきを防止することができる。さらに、部品点数が少ないため安価な吸込具を提供することができる。
【発明の効果】
【０００７】
本発明によれば、簡単な構成で、ローラーの回転中心のばらつきが少なくバランスがとれ安定した走行を実現でき、安価な電気掃除機用吸込具および電気掃除機を提供できる。
【発明を実施するための最良の形態】
【０００８】
第１の発明は、塵埃を吸引する開口部と、被掃除面上の塵埃を掻き上げる塵埃除去体と、前記塵埃除去体を回転駆動する電動機と、被掃除面側端部に回転自在に設けられた走行用のローラーと、前記吸込具本体と被掃除面との接触度合いを検出し、その検出結果に基づいて前記電動機を動作させる床面検出手段とを有する吸込具本体と、前記開口部に連通し回動自在に設けられた接続管とを備え、前記ローラーは樹脂を含浸させた軟質材からなる１部品で構成したもので、ローラーが樹脂を含浸させた軟質材からなる１部品で構成されているためローラー軸の中心度のバラツキが少なくバランスがとれ安定した走行を実現できる。また軟質材を用いることにより吸込具が被掃除面と衝突した時の衝撃を吸収することができ、被掃除面の傷つきを防止することができると共に、吸込具を持ち上げたあと強く床面に接地させた時の衝突の衝撃を吸収することによって、床面検出手段に誤動作等が発生しなくなり、安定して動作させることができる。更に軟質材に樹脂を含浸させることによって軟質材そのままよりも強度・耐久性があり、横滑り時に不快音の発生しない電気掃除機用吸込具を提供することができる。
【０００９】
第２の発明は、塵埃を吸引する開口部と、被掃除面上の塵埃を掻き上げる塵埃除去体と、前記塵埃除去体を回転駆動する電動機と、被掃除面側端部に回転自在に設けられた走行用のローラーと、前記吸込具本体と被掃除面との接触度合いを検出し、その検出結果に基づいて前記電動機を動作させる床面検出手段とを有する吸込具本体と、前記開口部に連通し回動自在に設けられた接続管とを備え、前記ローラーは樹脂を含浸させた軟質材からなる外周部と、前記外周部の中央に配された円筒形の軸受けで構成したもので、円筒形の軸受けを用いることによりローラー軸の中心度のバラツキが少なくバランスがとれ、より滑らかに安定した走行を実現でき、耐久性も向上できる。また軟質材を用いることにより吸込具が被掃除面と衝突した時の衝撃を吸収することができ、被掃除面の傷つきを防止することができると共に、吸込具を持ち上げたあと強く床面に接地させた時の衝突の衝撃を吸収することによって、床面検出手段に誤動作等が発生しなくなり、安定して動作させることができる。更に軟質材に樹脂を含浸させることによって軟質材そのままよりも強度・耐久性があり、横滑り時に不快音の発生しない電気掃除機用吸込具を提供することができる。
【００１０】
第３の発明は、特に第１又は第２の発明において、床面検出手段に床面と設置するローラーを設け、このローラーは樹脂を含浸させた軟質材で形成したもので、吸込具本体を持ち上げたあと強く床面に接地させた時の衝突の衝撃を吸収することができ、床面検出手段に誤動作等を起こらなくさせ、安定して動作させることができる。
【００１１】
第４の発明は、特に、第１〜第３の発明の軟質材としてフェルトを用いたもので、通常の樹脂よりも柔らかく衝撃吸収性があり、ゴムのような材質よりも軸受け部の形状が安定しておりバランスの取れた走行を実現できる電気掃除機用吸込具を提供することができる。
【００１２】
第５の発明は、吸引風を発する電動送風機と、前記電動送風機を内蔵する掃除機本体と、請求項１〜４のいずれか１項に記載の電気掃除機用吸込具を備えたもので、操作性に優れた電気掃除機用吸込具を有する電気掃除機を提供することができる。
【００１３】
以下、本発明の実施の形態について、図面を参照しながら説明する。なお、この実施の形態によって本発明が限定されるものではない。
【００１４】
（実施の形態１）
以下、本発明の第１の実施の形態における電気掃除機用吸込具について、図１〜図３を用いて説明する。
【００１５】
図１は、本実施の形態における電気掃除機用吸込具を接続した床移動型の電気掃除機の全体斜視図、図２は、同電気掃除機用吸込具の上面図、図３は、同電気掃除機用吸込具の下面図である。
【００１６】
電気掃除機１は、先端に電気掃除機用吸込具（以下、吸込具本体と称す）３を着脱自在に装着した延長管２と、一端に延長管２の他端と連結される手元ハンドル（手元操作筒）４を有し、他端にホース継ぎ手５を有するホース６を備え、ホース６は、ホース継ぎ手５を介して、電動送風機（図示せず）を内蔵した掃除機本体７に連結されている。掃除機本体７の後部左右には、走行用のローラー７ａが回転自在に軸支されている。
【００１７】
上記吸込具本体３は、図２に示すように、前記延長管２に連結するための接続管（連結部）９に回動連結部（回動連結手段）８を介して吸気ヘッド１０が接続された小型ノズル１１と、小型ノズル１１が着脱自在に装着される床ノズル１２から構成されている。
【００１８】
接続管９は、回動連結部８により上下方向および左右方向に回動自在に保持されている。床ノズル１２に対する小型ノズル１１の着脱は、床ノズル１２に設けられた操作レバー１３を押し下げることにより小型ノズル１１を把持する保持具１４の保持状態が解放されて小型ノズル１１を床ノズル１２から離脱させることができ、小型ノズル１１を用いて狭い場所の掃除ができる。又、保持具１４内に小型ノズル１１を載せて軽く押圧することにより小型ノズル１１は床ノズル１２に装着され、床ノズル１２を用いて床面の掃除を効率よく行なうことができる。
【００１９】
１５は、前記床ノズル１２の下面に形成され塵埃を吸引する開口部で、開口部１５内には、被掃除面の塵埃を掻き上げる掻き上げ体として複数のブラシ１６を有する塵埃除去体１７が回転自在に配されている。２１は、床ノズル１２の被掃除面への接触度合いを検知する床面検出手段となる床面検出レバーで、先端に、外周部の材質がトムソン型で打ち抜かれ樹脂を含浸させたフェルト１部品で形成されたローラーＤ２４が回転自在に取着されている。
【００２０】
ローラーＤ２４が被掃除面に接触し、それと連動して床面検出レバー２１が回動し、内部のリミットスイッチ（図示せず）をＯＮ状態に切り替えることにより、電力が電動機１８に供給され、ベルト１９を介して回転力が伝達され、塵埃除去体１７が回転するようになっている。
【００２１】
また、開口部１５の前方で床ノズル１２の下面２５には、外周部の材質がトムソン型で打ち抜かれ樹脂を含浸させたフェルト１部品で構成されているローラーＡ２０が、接続管９の軸方向の中心軸に対して略左右対称で、前記接続管９の最大径部より外方に、さらに吸込具本体３の前部より突出するように設けられており、塵埃除去体１７および電動機１８および床面検出レバー２１とローラーＤ２４が、前記ローラーＡ２０間の内方になるように設けられている。
【００２２】
また、ローラーＡ２０の後方で、吸込具本体３の後方より突出するように、外周部の材質がトムソン型で打ち抜かれ樹脂を含浸させたフェルト１部品で構成されているローラーＢ２２が設けられており、さらに後方に外周部の材質がトムソン型で打ち抜かれ樹脂を含浸させたフェルト１部品で構成されたローラーＣ２３が接続管９の軸方向の中心軸に対して略左右対称で、かつ前記接続管９の最大径部より外方に設けられている。
【００２３】
なお、本実施の形態ではローラーＡ２０、ローラーＢ２２およびローラーＣ２３を２個ずつ設けたが、ローラーの数によらず十分操作性の良さおよび安定性は得られる。
【００２４】
また、本実施の形態では床面検出手段として床面検出レバー２１を用いたが、電気的に床面を検出するなど床面を認識できるものであればよいものである。
【００２５】
また、本実施の形態ではフェルトをトムソン型で打ち抜いたものを用いたが、射出成型で成型されたフェルトを用いれば、ローラーの外周に溝を形成してグリップ力を持たせ操作性を向上させたりすることが可能となり、より使用性の向上した吸込具を提供することができる。
【００２６】
上記構成により、吸込具本体３はローラーＡ２０とローラーＢ２２とローラーＣ２３により支持され、掃除機本体７より吸引がかかり電力が供給されると、被掃除面の塵埃は塵埃除去体１７が回転することでかき上げられ、延長管２、手元ハンドル４、ホース６、ホース継ぎ手５を通して掃除機本体７に吸引される。
【００２７】
このように、ローラーＡ２０およびローラーＢ２２、ローラーＣ２３、ローラーＤ２４がそれぞれ樹脂を含浸させた軟質材からなる１部品で構成されているためローラー軸の中心度のバラツキが少なくバランスがとれ安定した走行を実現できる。
【００２８】
またローラーＡ〜Ｄ（２０、２２〜２４）に、軟質材としてフェルトを用いることにより吸込具本体３が被掃除面と衝突した時の衝撃を吸収することができ、被掃除面の傷つきを防止することができる。さらに、ローラーＡ〜Ｄ（２０、２２〜２４）の個々のローラーの部品点数が１部品で済むため安価な電気掃除機用吸込具を提供することができる。
【００２９】
また、本実施の形態では、外周部の材質がトムソン型で打ち抜かれ樹脂を含浸させたフェルト１部品で構成されているローラーを吸込具本体３の走行用のローラーとして用いたが、掃除機本体７の走行用ローラー７ａに同一構成を採用しても同様の効果が得られる。
【００３０】
また、ローラーＡ２０およびローラーＢ２２、ローラーＣ２３を略左右対称に配置することにより吸込具本体３にかかる力を左右方向に均等に支えられ、安定した操作を行える電気掃除機用吸込具を提供することができる。
【００３１】
次に、ローラーＡ２０を吸込具本体３の前端より突出するように設けているので、吸込具本体３が前方の壁面と衝突した時の衝撃を吸収し壁面への傷つきを防止することができる。
【００３２】
また、後方のローラーＢ２２およびローラーＣ２３にフェルトを用いることにより、吸込具本体３を後方に引いて家具の角部等の引っかけた時等の衝突の衝撃を吸収し家具への傷つきを防止することができる。
【００３３】
さらに、前記床面検出レバー２１のローラーＤ２４にフェルトを用いることで、吸込具本体３を持ち上げたあと強く床面に接地させた時の衝突の衝撃を吸収することができ、床面検出レバー２１に誤動作等を起こらなくさせ、安定して動作させることができる電気掃除機用吸込具を提供することができる。
【００３４】
また、各ローラーに軟質材としてフェルトを用いることによって通常の樹脂よりも柔らかく衝撃吸収性があり、ゴムのような材質よりも軸受け部の形状が安定しておりバランスの取れた走行を実現できる電気掃除機用吸込具を提供することができる。
【００３５】
また、フェルトに樹脂を含浸させることによってフェルトそのままよりも強度・耐久性があり、横滑り時に不快音の発生しない電気掃除機用吸込具を提供することができる。次に、フェルトをトムソン型で打ち抜いて形成することによって射出成型より安価で、安定した走行のできる吸込具を提供することができる。
【００３６】
また、前記ローラーＡ２０およびローラーＢ２２、ローラーＣ２３は、それぞれ２個に分割しているが、１個に連結されていてもよい。
【００３７】
（実施の形態２）
図４は、本発明の第２の実施の形態における電気掃除機用吸込具のローラー部の斜視図である。なお、上記実施の形態１と同一部分については同一符号を付してその説明を省略する。
【００３８】
本実施の形態は、図４に示すように、外周部２７の材質がトムソン型で打ち抜かれ樹脂を含浸させたフェルト１部品で構成されているローラーＡ２０、ローラーＢ２２、ローラーＣ２３、ローラーＤ２４の中心軸にナイロンを押出し成型で成型した円筒形の軸受け２６を設けたものである。
【００３９】
上記構成により、円筒形の軸受け２６を用いることにより、ローラーＡ〜Ｄ（２０、２２〜２４）の各ローラーの中心度のバラツキが少なくバランスがとれより滑らかに安定した走行を実現でき、耐久性も向上できる。また、円筒形の軸受け２６を押出し成型で成型することにより、射出成型したものよりも安価で、抜き勾配がないためバランスがとれより滑らかに安定した走行を実現でき、耐久性も向上した電気掃除機用吸込具を提供することができる。
【産業上の利用可能性】
【００４０】
以上のように、本発明にかかる電気掃除機用吸込具および電気掃除機は、簡単な構成でローラーのバランスがとれ安定した走行を実現できるので、走行用のローラーを有する各種部品、機器、装置に適用できるものである。
【図面の簡単な説明】
【００４１】
【図１】本発明の実施の形態１における電気掃除機用吸込具を接続した電気掃除機全体の斜視図
【図２】同電気掃除機用吸込具の上面図
【図３】同電気掃除機用吸込具の下面図
【図４】本発明の実施の形態２における電気掃除機用吸込具のローラーの斜視図
【符号の説明】
【００４２】
１  電気掃除機
３  電気掃除機用吸込具（吸込具本体）
７  掃除機本体
９  接続管
１５  開口部
１７  塵埃除去体
１８  電動機
２０  ローラーＡ
２１  床面検出レバー（床面検出手段）
２２  ローラーＢ
２３  ローラーＣ
２４  ローラーＤ
２６  軸受け
２７  外周部
【図１】
2006102303.tif 000003
【図２】
2006102303.tif 000004
【図３】
2006102303.tif 000005
【図４】
2006102303.tif 000006